(57)【要約】【課題】流体動圧軸受をより安定的に作動し、駆動の信頼性を向上するためのスピンドルモータを提供する。【解決手段】本発明のスピンドルモータは、モータの回転中心を成すシャフト１１と、シャフト１１を収容し、シャフト１１を回転可能に支持するスリーブ２２と、シャフト１１の軸方向に対して直交するようにシャフト１１に圧入されたスラストプレート４１と、スラストプレート４１から上部軸方向に離隔し、スリーブ２２の外側面を包むように折り曲げられて、スラストプレート４１に結合されるシーリングキャップ６０と、を含み、シーリングキャップ６０には、ラジアル方向の内周面に沿って凹部と凸部が交互に形成されるシーリング部が形成されるものである。【選択図】図１
2013252048.tif 000002
【特許請求の範囲】
【請求項１】
モータの回転中心を成すシャフトと、
前記シャフトを収容し、前記シャフトを回転可能に支持するスリーブと、
前記シャフトの軸方向に対して直交するように前記シャフトに圧入されたスラストプレートと、
前記スラストプレートから上部軸方向に離隔し、前記スリーブの外側面を包むように折り曲げられて、前記スラストプレートに結合されるシーリングキャップと、を含み、
前記シーリングキャップには、ラジアル方向の内周面に沿って凹部と凸部が交互に形成されるシーリング部が形成されるスピンドルモータ。
【請求項２】
前記シーリング部の前記凹部は内側面に向かって幅が狭くなる溝形状であり、前記凸部は外側面に向かって幅が狭くなるように突出形成されることを特徴とする請求項１に記載のスピンドルモータ。
【請求項３】
前記凹部と前記凸部は、鋸歯状からなることを特徴とする請求項１に記載のスピンドルモータ。
【請求項４】
前記シーリングキャップは、
前記スラストプレートと向き合う第１プレート部と、
前記第１プレート部から延長され、下部軸方向に折り曲げられて前記スリーブの外側面に結合される第２プレート部と、を含み、
前記第１プレート部のラジアル方向の内周面に沿ってシーリング部が形成されることを特徴とする請求項１に記載のスピンドルモータ。
【請求項５】
前記第１プレート部と前記スラストプレートは、互いに平行に向き合うように離隔して形成されることを特徴とする請求項４に記載のスピンドルモータ。
【請求項６】
前記第１プレート部と前記スラストプレート部が向き合って形成される離隔空間は、前記モータの回転中心方向に向かって前記離隔空間の軸方向の間隔が次第に広くなるように形成されることを特徴とする請求項４に記載のスピンドルモータ。
【請求項７】
前記シーリング部の前記凹部は内側面に向かって幅が狭くなる溝形状であり、前記凸部は外側面に向かって幅が狭くなるように突出形成されることを特徴とする請求項４に記載のスピンドルモータ。
【請求項８】
前記シーリング部の前記凹部と前記凸部は、鋸歯状からなることを特徴とする請求項４に記載のスピンドルモータ。
【請求項９】
モータの回転中心を成すシャフトと、
前記シャフトを収容し、前記シャフトを回転可能に支持するスリーブと、
前記シャフトの上部軸方向で結合され、前記スリーブの外周面とラジアル方向に向き合う突出部が形成されるハブと、を含み、
前記突出部の軸方向の下端面に、円周方向に沿って凹部と凸部が交互に形成されるシーリング部が形成されるスピンドルモータ。
【請求項１０】
前記シーリング部の前記凹部は内側面に向かって幅が狭くなる溝形状であり、前記凸部は外側面に向かって幅が狭くなるように突出形成されることを特徴とする請求項９に記載のスピンドルモータ。
【請求項１１】
前記シーリング部の前記凹部と前記凸部は、鋸歯状からなることを特徴とする請求項９に記載のスピンドルモータ。
【発明の詳細な説明】
【技術分野】
【０００１】
本発明は、スピンドルモータに関する。
【背景技術】
【０００２】
通常、スピンドルモータ（Ｓｐｉｎｄｌｅ  Ｍｏｔｏｒ）は、ＢＬＤＣ（Ｂｒｕｓｈｌｅｓｓ−ＤＣ  Ｍｏｔｏｒ）に属するものであり、ハードディスクドライブ用モータの他にもレーザプリンタ用のレーザビームスキャナモータ、フロッピー（登録商標）ディスク（ＦＤＤ；Ｆｌｏｐｐｙ  Ｄｉｓｋ  Ｄｒｉｖｅｒ）用モータ、ＣＤ（Ｃｏｍｐａｃｋ  Ｄｉｓｋ）やＤＶＤ（Ｄｉｇｉｔａｌ  Ｖｅｒｓａｔｉｌｅ  Ｄｉｓｋ）のような光ディスクドライブ用モータなどに広く使用されている。
【０００３】
近年、ハードディスクドライブのような高容量及び高速の駆動力が要求される機器は、騒音と玉軸受の使用時に発生する振動であるＮＲＲＯ（Ｎｏｎ  Ｒｅｐｅａｔａｂｌｅ  Ｒｕｎ  Ｏｕｔ）の発生を最小化するために、従来の玉軸受より駆動摩擦が少ない流体動圧軸受が適用されたスピンドルモータが一般的に使用されている。特許文献１に開示されるように、流体動圧軸受は、基本的に回転体と固定体との間に薄い油膜を形成して、回転時に発生する圧力で回転体と固定体を支持するため、回転体と固定体とが互いに接触せず、摩擦負荷が低減される。前記流体動圧軸受を使用するスピンドルモータでは、ディスクを回転させるモータのシャフトを潤滑油（以下、「作動流体」と言う）が動圧（回転軸の遠心力によって油圧を中心に戻す圧力）のみで維持させる。従って、前記流体動圧軸受を使用するスピンドルモータは、シャフトを鉄球で支持する玉軸受スピンドルモータと区別される。
【０００４】
このような流体動圧軸受をスピンドルモータに適用すると、流体を用いて回転体を支持するため、モータから発生する騒音量が少なく、消費電力の消費も少ないだけでなく、耐衝撃性に優れる。
【０００５】
特に、流体動圧軸受を適用するスピンドルモータの場合、流体動圧軸受を形成する作動流体の保管及びシーリングが何より重要な問題である。作動流体のシーリング部の設計によって流体動圧軸受の作動流体が非対称的な流動を起こし得るという問題点があった。また、作動流体のシーリングのための構造の複雑さや部品数の増加により、流体動圧軸受が適用されたスピンドルモータの作動性能が低下したり、駆動の信頼性が低下する問題点があった。
【先行技術文献】
【特許文献】
【０００６】
【特許文献１】米国特許出願公開第２００５／００９４９０８号明細書
【発明の概要】
【発明が解決しようとする課題】
【０００７】
本発明は、前記従来技術の問題点を解決するために導き出されたものであり、流体動圧軸受が適用されたスピンドルモータのシーリング部を形成するシーリングキャップの形状を構造的に変形することにより、流体動圧軸受をより安定的に作動し、駆動の信頼性を向上するためのスピンドルモータを提供することを目的とする。
【課題を解決するための手段】
【０００８】
本発明の一実施例によるスピンドルモータは、モータの回転中心を成すシャフトと、前記シャフトを収容し、前記シャフトを回転可能に支持するスリーブと、前記シャフトの軸方向に対して直交するように前記シャフトに圧入されたスラストプレートと、前記スラストプレートから上部軸方向に離隔し、前記スリーブの外側面を包むように折り曲げられて、前記スラストプレートに結合されるシーリングキャップと、を含み、前記シーリングキャップにはラジアル方向の内周面に沿って凹部と凸部が交互に形成されるシーリング部が形成されるものである。
【０００９】
本発明の一実施例によるスピンドルモータにおいて、前記シーリング部の前記凹部は内側面に向かって幅が狭くなる溝形状であり、前記凸部は外側面に向かって幅が狭くなるように突出形成されることが好ましい。
【００１０】
本発明の一実施例によるスピンドルモータにおいて、前記凹部と前記凸部は、鋸歯状からなることが好ましい。
【００１１】
本発明の一実施例によるスピンドルモータにおいて、前記シーリングキャップは、前記スラストプレートと向き合う第１プレート部と、前記第１プレート部から延長され、下部軸方向に折り曲げられて前記スリーブの外側面に結合される第２プレート部と、を含み、前記第１プレート部のラジアル方向の内周面に沿ってシーリング部が形成されることが好ましい。
【００１２】
本発明の一実施例によるスピンドルモータにおいて、前記第１プレート部と前記スラストプレートは、互いに平行に向き合うように離隔して形成されることが好ましい。
【００１３】
本発明の一実施例によるスピンドルモータにおいて、前記第１プレート部と前記スラストプレート部が向き合って形成される離隔空間は、前記モータの回転中心方向に向かって前記離隔空間の軸方向の間隔が次第に広くなるように形成されることが好ましい。
【００１４】
本発明の一実施例によるスピンドルモータにおいて、前記シーリング部の前記凹部は内側面に向かって幅が狭くなる溝形状であり、前記凸部は外側面に向かって幅が狭くなるように突出形成されることが好ましい。
【００１５】
本発明の一実施例によるスピンドルモータにおいて、前記シーリング部の前記凹部と前記凸部は、鋸歯状からなることが好ましい。
【００１６】
本発明の他の実施例によるスピンドルモータは、モータの回転中心を成すシャフトと、前記シャフトを収容し、前記シャフトを回転可能に支持するスリーブと、前記シャフトの上部軸方向で結合され、前記スリーブの外周面とラジアル方向に向き合う突出部が形成されるハブと、を含み、前記突出部の軸方向の下端面に、円周方向に沿って凹部と凸部が交互に形成されるシーリング部が形成されるものである。
【００１７】
本発明の他の実施例によるスピンドルモータにおいて、前記シーリング部の前記凹部は内側面に向かって幅が狭くなる溝形状であり、前記凸部は外側面に向かって幅が狭くなるように突出形成されることが好ましい。
【００１８】
本発明の他の実施例によるスピンドルモータにおいて、前記シーリング部の前記凹部と前記凸部は、鋸歯状からなることが好ましい。
【発明の効果】
【００１９】
本発明によると、流体動圧軸受の作動流体シーリング部におけるシーリング能力をより向上させることができる効果がある。
【００２０】
また、本発明によると、流体動圧軸受のシーリング部に３次元的な作動流体の界面を形成することができるため、作動流体のシーリング効率を向上させ、シーリングの信頼性を確保することができる効果がある。
【００２１】
そして、本発明によると、流体動圧軸受のシーリング部を形成するシーリングキャップのラジアル方向の内側面を鋸歯状（Ｓａｗ）構造で形成することにより、作動流体のシーリング効率がより向上することができる効果がある。
【００２２】
更に、本発明によると、流体動圧軸受の作動流体を保管し、シーリングの信頼性を向上させることにより、流体動圧軸受が適用されたモータの作動性能を向上させ、モータ駆動の信頼性を確保することができる効果がある。
【００２３】
また、本発明によると、流体動圧軸受の作動流体の保管及びシーリングのためのシーリングキャップの構造的な変更により、スピンドルモータのシーリング部を容易に製造し、モータ生産性を向上させることができる効果がある。
【００２４】
そして、本発明によると、流体動圧軸受を形成する作動流体のシーリングのためのシーリングキャップ内側のラジアル方向の対応面に鋸歯状のシーリング部を形成することにより、回転軸から外側方向に向かって作動流体の接触面が減少され、作動流体の非対称的な流動を防止することができる効果がある。
【００２５】
更に、本発明によると、流体動圧軸受を形成する作動流体の非対称的な流動を防止することにより、流体動圧軸受が適用されたモータ駆動の信頼性を確保することができる効果がある。
【図面の簡単な説明】
【００２６】
【図１】本発明の一実施例によるスピンドルモータの断面図である。
【図２】図１のＡ部分の部分拡大図である。
【図３】本発明の一実施例によるシーリングキャップの部分斜視図である。
【図４】本発明の一実施例によるシーリングキャップの平面図である。
【図５】本発明の他の実施例によるスピンドルモータの断面図である。
【図６】本発明の他の実施例によるシーリング部の底面斜視図である。
【発明を実施するための形態】
【００２７】
本発明の目的、特定の利点及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２８】
以下、添付図面を参照して、本発明の好ましい実施例を詳細に説明する。
【００２９】
図１は、本発明の一実施例によるスピンドルモータの断面図であり、図２は、図１のＡ部分の部分拡大図であり、図３は、本発明の一実施例によるシーリングキャップの部分斜視図であり、図４は、本発明の一実施例によるシーリングキャップの平面図である。
【００３０】
本発明の一実施例によるスピンドルモータは、モータの回転中心を成すシャフト１１と、前記シャフト１１を収容し、前記シャフト１１を回転可能に支持するスリーブ２２と、前記シャフト１１の軸方向に対して直交するように前記シャフト１１に圧入されたスラストプレート４１と、前記スラストプレート４１から上部軸方向に離隔し、前記スリーブ２２の外側面を包むように折り曲げられて、前記スラストプレート４１に結合されるシーリングキャップ６０と、を含み、前記シーリングキャップ６０には、ラジアル方向の内周面に沿って凹部６０ｂと凸部６０ｃが交互に形成されるシーリング部６０ａが形成されるものである。
【００３１】
本発明は、スラストプレート４１に結合されるシーリングキャップ６０に保管される作動流体のシーリング能力を向上させることができるシーリング構造に関するものである。特に、シーリングキャップ６０の内周面上に形成された凹部６０ｂと凸部６０ｃの構造的な形状により、流体動圧軸受のための作動流体のより効率的なシーリング能力を確保することができるだけでなく、モータの中心から外側方向に向かって作動流体の接する面が減少することにより、作動流体の非対称的な流動を防止することができる利点がある。本発明のシーリング部６０ａの構造は、本発明の一実施例に係るシーリングキャップ６０によるシーリング構造だけでなく、後述する他の実施例のように相違するシーリング構造でも同様に適用することができる。以下、本発明の特徴及び関連構成を参照して、より具体的な本発明の実施例について説明する。
【００３２】
シャフト１１は、スピンドルモータが回転駆動する中心軸を成し、通常、円筒形状からなる。ここで、シャフト１１の上端部にスラストプレート４１が軸方向に対して垂直に挿入されたことを図示したが、シャフト１１の上端部だけでなく下端部にも軸方向に対して直交するようにスラストプレート４１を挿入して設けることができることは言うまでもない。スラストプレート４１をシャフト１１に固定するために別途のレーザ溶接などを行うことができるが、スラストプレート４１に所定の圧力を印加して圧入結合することができることは当業者にとって自明な事項である。流体動圧軸受によるスラスト動圧軸受部４０を形成するためには、別途のスラストプレート４１なしに、スリーブ２２とスリーブ２２に向き合うハブ１２の一面との間で動圧を発生させることができることは言うまでもない。
【００３３】
スリーブ２２は、シャフト１１を回転可能に支持するためのものであり、図１に図示されたように、シャフト１１の上端が上部軸方向に突出されるようにシャフトを支持することができ、中空円筒形状を有し、シャフト１１を中空に挿入結合して収容することができる。スリーブ２２は、銅（Ｃｕ）またはアルミニウム（Ａｌ）を鍛造したり、Ｃｕ−Ｆｅ系合金粉末またはＳＵＳ系粉末を焼結して形成することができる。スリーブ内周面２２ａと、前記スリーブ内周面２２ａに向き合うシャフトの外周面１１ａとの間に、流体動圧によるラジアル動圧軸受部５０を形成することができる。ラジアル動圧軸受部５０を形成するために、シャフトの外周面１１ａと向き合うスリーブ内周面２２ａには、ラジアル動圧発生溝（不図示）が形成され、スリーブ内周面２２ａとシャフトの外周面１１ａとの間に作動流体（例えば、オイルなどが使用されることができる）が保管される。ラジアル動圧発生溝は、シャフト１１の回転時にスリーブ２２とシャフト１１との間に保管される作動流体を用いて流体動圧を発生させることにより、シャフト１１とスリーブ２２との間を非接触状態に維持することができる。ラジアル動圧発生溝は、流体動圧によるラジアル動圧軸受部５０を形成するシャフトの外周面１１ａにも形成することができることは言うまでもない。
【００３４】
スラストプレート４１は、前記シャフト１１の軸方向に対して直交するように前記シャフト１１に圧入される。スラストプレート４１は、シャフト１１と一体に形成されるか、または別途に形成された後、シャフトに結合することができる。スラストプレート４１は、スラスト動圧軸受部４０を形成するためのものであり、スラストプレート４１の軸方向の上面に動圧発生溝（不図示）を形成することができることは既に説明した。その他、詳細な説明は前記の説明と重複するため、ここでは省略する。
【００３５】
シーリングキャップ６０は、前記スラストプレート４１から上部軸方向に離隔し、前記スリーブ２２の外側面を包むように折り曲げて結合することができる（図２参照）。シーリングキャップ６０は、図２に図示されたように、上部軸方向でスラストプレート４１に結合され、スラストプレート４１によって支持される第１プレート部６１と、第１プレート部６１の外側端が下部軸方向に折り曲げて形成された第２プレート部６２とを含む。第１プレート部６１は、スラストプレート４１の上端部に離隔して位置し、第２プレート部６２は、第１プレート部６１から延長され、下部軸方向に折り曲げてスリーブ２２外側面に結合される。特に、本発明では、シーリングキャップ６０のラジアル方向の内側面に、凹部６０ｂと凸部６０ｃのシーリング部６０ａをさらに形成することができる。凹部６０ｂと凸部６０ｃは、シーリングキャップ６０の内側面のラジアル方向に形成され、シーリングキャップ６０周面に沿って形成することができる。図２に図示されたように、シーリングキャップ６０内周面に沿って凹部６０ｂと凸部６０ｃを形成することにより、作動流体による界面も凹部６０ｂ上に形成することができる。作動流体の界面は、凹部６０ｂの軸方向の上部から下部に向かって作動流体のラジアル方向の充填量を増加するように形成する（図２参照）。
【００３６】
本発明のシーリング部６０ａの具体的な構造について説明すると、図３及び図４に図示されたように、凹部６０ｂは、内側面に向かって幅が狭くなる溝形状であり、凸部６０ｃは、外側面に向かって幅が狭くなるように突出形成することができる。例えば、鋸歯状のシーリング構造を有することができる。シーリングキャップ６０の第１プレート部６１のシャフト１１側へのラジアル方向の内側面にシーリング部６０ａを形成することにより、作動流体の３次元的な界面を形成することができ、作動流体のシーリング効率及びシーリング能力をより向上させることができる。また、シーリングキャップ６０の第１プレート６１とスラストプレート４１との間の離隔空間を必ずテーパ状に形成する必要がなく、シーリングキャップ６０の設計自由度を向上させることができる。
【００３７】
また、本発明の一実施例によるスピンドルモータは、前記スリーブ２２を支持するように前記スリーブ２２の外周面に結合され、内周面にコイル２３ａが巻線されたコア２３が装着されるベース２１及び中央にシャフト１１が結合され、一側端が下部軸方向に折り曲げられ、前記折り曲げられた部分の内側面に前記コア２３とラジアル方向に対応するようにロータマグネット１３が装着されるロータハブ１２を含むことができる。
【００３８】
ベース２１は、シャフト１１を含むスリーブ２２が内側に結合されるように、ベース２１の一面がスリーブ２２の外周面を包むように結合される。ベース２１一面の反対側である他面には、コイル２３ａが巻線されたコア２３がハブ１２の側面部の内側面に装着されたロータマグネット１３とラジアル方向に対応するように結合される。ベース２１は、スピンドルモータの下部で全体的な構造を支持する機能を有し、プレス加工またはダイキャスティング（ｄｉｅ−ｃａｓｔｉｎｇ）方法によって製造することができる。プレス加工は、アルミニウム、鋼鉄など多様な材質の金属を用いて行うことができ、特に、剛性を有する金属材質路で形成することが好ましい。ベース２１とスリーブ２２が接合される部分の下端面に、ベース２１とスリーブ２２とを導通するための導電性接着剤（不図示）を連結して形成することができる。このような導電性接着剤は、モータの作動時に発生する過電荷がベース２１と導通して外部に流出されるようにすることで、モータ作動の信頼性を向上することができる。
【００３９】
コア２３は、多数の薄型金属板を積層して形成されることが一般的であり、フレキシブルプリント回路基板７０を備えるベース２１の上部に固定配置される。コア２３に巻線されたコイル２３ａが引き出されて通過する複数個の貫通孔２１ａがベース２１の下端面にそれぞれ形成され、前記貫通孔２１ａを介して露出したコイル２３ａは、フレキシブルプリント回路基板７０に、はんだ付けを施して外部電源を供給することができる。ベース２１の貫通孔２１ａを通過するコイル２３ａとベース２１とを絶縁するために、貫通孔２１ａ入口部分に絶縁シート２１ｂを形成することができる。
【００４０】
ハブ１２は、不図示の光ディスクまたは磁気ディスクを搭載して回転させるためのものであり、シャフト１１を中心に一体に結合され、スリーブ２２の軸方向の上端面に対応するように、シャフト１１の上部に結合される。ハブ１２の側面部の内側面には、後述するベース２１のコア２３とラジアル方向に向き合うように、ロータマグネット１３を装着する。コア２３は、電流が流れると磁場が形成されると共に磁束が発生する。これと向き合うロータマグネット１３は、円周方向にＮ極とＳ極が繰り返して磁化し、コア２３から発生する可変電極に対応して電極を形成する。コア２３とロータマグネット１３は、磁束の鎖交による電子力によって相互間の反発力が生成され、これによってハブ１２及びこれに結合されたシャフト１１が回転する。
【００４１】
図１に図示されたように、カバー部材３０は、シャフト１１を含むスリーブ２２の軸方向の下端面をカバーするように結合される。カバー部材３０は、シャフトの下端面と向き合う内側面に動圧発生溝（不図示）を形成してスラスト動圧軸受部を形成することができる。カバー部材３０は、スリーブ２２の端部に結合され、内部に作動流体であるオイルが保管されることができる構造を有して形成することができる。
【００４２】
本発明の他の実施例によるスピンドルモータは、モータの回転中心を成すシャフト１１と、前記シャフト１１を収容し、前記シャフト１１を回転可能に支持するスリーブ２２と、前記シャフト１１上部軸方向で結合され、前記スリーブ２２の外周面とラジアル方向に向き合う突出部１２ａが形成されるハブ１２と、を含み、前記突出部１２ａの軸方向の下端面に、円周方向に沿って凹部１２ｂと凸部１２ｃが交互に形成されるシーリング部６０ａを形成するものである。
【００４３】
本発明の他の実施例によるスピンドルモータは、前記本発明の一実施例によるスピンドルモータと異なり、シーリング部６０ａの構造的な形状が相違する。図５に図示されたように、ハブ１２の下部軸方向に突出され、スリーブ２２の外側面に、突出部１２ａが離隔して形成される。突出部１２ａとスリーブ２２の離隔した空間に作動流体の界面が形成されることが好ましい。
【００４４】
ここで、作動流体の界面が形成されるシーリング部６０ａは、図６に図示されたように、突出部１２ａの軸方向の下端面に凹部１２ｂと凸部１２ｃを交互に形成することが好ましい。凹部１２ｂと凸部１２ｃの形状は、前記本発明の一実施例に係るシーリング部６０ａの凹部６０ｂ及び凸部６０ｃの形状と同一であるため、これに関する詳細な説明は省略する。但し、本実施例におけるシーリング部６０ａは、突出部１２ａの軸方向の下端面に形成される構造を有するため、シーリングキャップ６０の内側のラジアル方向に形成された一実施例とは構造的な差がある。
【００４５】
本実施例でも、凹部１２ｂと凸部１２ｃが交互に形成されるシーリング部６０ａを形成することにより、３次元的な作動流体の界面を形成することができ、作動流体のシーリング効率を向上させることができるだけでなく、より簡単な構造で作動流体を保管し、シーリング能力を確保することができる利点がある。特に、ハブ１２から突出形成された突出部１２ａの内側面と前記突出部１２ａに向き合うスリーブ２２の外側面との間の離隔空間が作動流体シーリングのためにテーパ状に形成する構造を選択的に適用することができ、シーリング部６０ａの設計自由度が増加することができる。即ち、突出部１２ａの内側面と前記突出部１２ａに向き合うスリーブ２２の外側面との離隔空間が軸方向に平行に形成されたり、または軸方向にテーパ状に形成される構造の全てが本発明のシーリング部６０ａを適用することにより、作動流体の保管及びシーリングが可能となる。
【００４６】
その他、本発明の他の実施例の構成及び作用効果は、本発明の一実施例と重複するため、詳細な説明は省略する。
【００４７】
本発明の一実施例によるスピンドルモータの構成と作動関係を、図１を参照して簡単に説明すると次のとおりである。
【００４８】
回転子は、回転軸となり回転可能に形成されたシャフト１１、及びロータマグネット１３が付着したハブ１２で構成され、固定子は、ベース２１、スリーブ２２、コア２３及びプリングプレート（ｐｕｌｌｉｎｇ  ｐｌａｔｅ）２４を含んで形成することができる。ベース２１の外側及びハブ１２の内側に互いに向き合う位置に、それぞれコア２３及びロータマグネット１３を付着するが、ここで、コア２３は、電流が流れると磁場が形成されると共に磁束が発生する。コア２３と向き合うロータマグネット１３は、Ｎ極とＳ極が繰り返して磁化され、コア２３から発生する可変電極に対応して電極を形成する。コア２３とロータマグネット１３は、磁束の鎖交による電子力によって相互間の反発力が生成され、これによってハブ１２及びこれと結合されたシャフト１１が回転することにより、本発明のスピンドルモータが駆動する。また、モータの駆動時に浮き上がりを防止するために、ロータマグネット１３と軸方向に対応するように、ベース２１にプリングプレート２４が形成される。プリングプレート２４は、ロータマグネット１３と引力を作用させるようにすることにより、安定した回転駆動を可能にする。
【００４９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００５０】
本発明の単純な変形乃至変更はいずれも本発明の領域に属するものであり、本発明の具体的な保護範囲は添付の特許請求の範囲により明確になるであろう。
【産業上の利用可能性】
【００５１】
本発明は、流体動圧軸受をより安定的に作動し、駆動の信頼性を向上するためのスピンドルモータに適用可能である。
【符号の説明】
【００５２】
１１  シャフト
１１ａ  シャフトの外周面
１２  ハブ
１２ａ  突出部
１２ｂ  凹部
１２ｃ  凸部
１３  ロータマグネット
２１  ベース
２１ａ  貫通孔
２１ｂ  絶縁シート
２２  スリーブ
２２ａ  スリーブ内周面
２３  コア
２３ａ  コイル
２４  プリングプレート
３０  カバー部材
４０  スラスト動圧軸受部
４１  スラストプレート
５０  ラジアル動圧軸受部
６０  シーリングキャップ
６０ａ  シーリング部
６０ｂ  凹部
６０ｃ  凸部
６１  第１プレート部
６２  第２プレート部
７０  フレキシブルプリント回路基板
【図１】
2013252048.tif 000003
【図２】
2013252048.tif 000004
【図３】
2013252048.tif 000005
【図４】
2013252048.tif 000006
【図５】
2013252048.tif 000007
【図６】
2013252048.tif 000008